(57)【特許請求の範囲】
【請求項１】
基礎金物によって、基礎と、柱及び該柱以外の構造体とが連結される固定構造であって、
前記基礎金物は、
前記柱の立設位置で前記基礎に設けられる載置部と、
前記載置部から設けられて前記基礎に埋設されるアンカー部と、
前記基礎の側面に沿って前記載置部から立ち上がり、前記柱の側面と前記構造体の少なくとも一部とに固定される固定部と、を有し、
前記構造体は、壁部及び床部を含み、前記床部の上に、前記柱及び前記壁部が立設され、
前記柱は、建物の出隅に対応する前記基礎の角部に立設され、
前記壁部は、前記柱を挟んで直角方向に設けられ、
前記固定部は、横断面がＬ字状をなし、前記基礎の角部の外周面に沿って立ち上がり、前記床部の端面と前記柱の側面と前記壁部の外壁面とに固定されることを特徴とする基礎金物を用いた固定構造。
【請求項２】
請求項１記載の固定構造において、
前記壁部は、壁パネルから構成され、
前記床部は、床パネル及びこの床パネルの外周に設けられる半土台から構成され、
前記固定部は、前記柱、壁パネル、床パネル及び半土台の全てに固定されることを特徴とする基礎金物を用いた固定構造。
【発明の詳細な説明】
【０００１】
【発明の属する技術分野】
本発明は、基礎とその上に載る構造体とを固定する基礎金物を用いた固定構造に関する。
【０００２】
【背景技術及び発明が解決しようとする課題】
いわゆる在来工法において、柱を基礎に固定するために、羽子板金物が使されていた。また、柱の他に、基礎には土台を固定する必要があり、この固定のためには、羽子板ボルトとは別のアンカーボルトが使用されていた。
【０００３】
また、パネル工法においては、基礎に床パネルが敷設され、床パネルの外周には半土台が配置され、床パネル及び半土台の上に壁パネルが立設されていた。そして、床パネル、半土台及び壁パネルは、基礎に埋設されたアンカーボルトにて固定されていた。
【０００４】
ここで、例えば、パネル工法においても、３階建ての建物を建築するときなどに、壁パネルに加えて柱を立設する場合がある。この場合は、柱を基礎に固定するために、上記アンカーボルトとは別の金物が必要になる。
【０００５】
このように、いずれの工法においても、柱を基礎に固定するためには、他の構造体を基礎に固定する手段とは別の手段が必要であった。
【０００６】
なお、特開平７−１９７５２２号公報には、床パネル及び補強柱を基礎に固定する金物が開示されている。しかしながら、この金物は、一旦、床パネルを基礎に固定してから、補強柱を固定するものゆえ、作業性に劣る。
【０００７】
本発明は、上記課題に鑑みてなされたものであり、柱を他の構造体とともに基礎に固定することができ、作業性にも優れる基礎金物を用いた固定構造を提供することを目的とする。
【０００８】
【課題を解決するための手段】
上記問題を解決するため、請求項１記載の発明は、基礎金物によって、基礎と、柱及び該柱以外の構造体とが連結される固定構造であって、
前記基礎金物は、
前記柱の立設位置で前記基礎に設けられる載置部と、
前記載置部から設けられて前記基礎に埋設されるアンカー部と、
前記基礎の側面に沿って前記載置部から立ち上がり、前記柱の側面と前記構造体の少なくとも一部とに固定される固定部と、を有し、
前記構造体は、壁部及び床部を含み、前記床部の上に、前記柱及び前記壁部が立設され、
前記柱は、建物の出隅に対応する前記基礎の角部に立設され、
前記壁部は、前記柱を挟んで直角方向に設けられ、
前記固定部は、横断面がＬ字状をなし、前記基礎の角部の外周面に沿って立ち上がり、前記床部の端面と前記柱の側面と前記壁部の外壁面とに固定されることを特徴とする。
【０００９】
【００１０】
【００１１】
【００１２】
【００１３】
【００１４】
【００１５】
【００１６】
請求項１記載の発明によれば、基礎と柱及び柱以外の構造体とが連結されることから、建物の強度を向上させることができる。また、基礎金物の基礎に埋設されるアンカー部と、柱及び柱以外の他の構造体に固定される固定部とが、載置部を介して一体をなすことから、一つの基礎金物で柱を他の構造体とともに基礎に固定することができる。このため、施工現場における固定作業を手早く簡単に行うことが可能となる。
【００１７】
【００１８】
また、柱及び壁部が床部の上に立設され、柱の立設位置には基礎金物が設置されることから、少なくとも柱と床部がともに基礎金物によって基礎に固定される。そのため、床部及び柱の固定作業が簡単となる。
【００１９】
【００２０】
さらに、柱が基礎の角部に立設され、基礎金物の固定部がＬ字状の横断面をなして基礎の角部の外周面に沿って立ち上がり、床部の端面と柱の側面と壁部の外壁面とに固定されることから、金属製の固定部が建物の外周側に配置される。このため、固定部の存在に起因する建物の内部結露の発生を防止することができる。
【００２１】
請求項２記載の発明は、請求項１記載の固定構造において、前記壁部は、壁パネルから構成され、前記床部は、床パネル及びこの床パネルの外周に設けられる半土台から構成され、前記固定部は、前記柱、壁パネル、床パネル及び半土台の全てに固定されることを特徴とする。
【００２２】
請求項２記載の発明によれば、壁部が壁パネルから構成され、床部が床パネル及び半土台から構成されることから、壁部及び床部を簡単に形成することができる。また、固定部が、柱、壁パネル、床パネル及び半土台の全てに固定されることから、これら全てを基礎に確実に固定することができる。
【００２３】
【発明の実施の形態】
次に、本発明の実施の形態を図面を参照して詳細に説明する。
【００２４】
図１は、本発明にかかる基礎金物を用いた固定構造の第一の実施形態を示す斜視図である。
【００２５】
同図において、建物１階の床を形成する布基礎１０において、建物の出隅に対応する角部に基礎金物３０が取り付けられ、その上に半土台２２と床パネル２４からなる床部２０が敷設され、基礎金物３０の上方であって床部２０の上に柱１２が立設され、この柱１２に隣接させて壁パネル１８からなる壁部１６が立設される。そして、柱１２と、壁部１６及び床部２０を含む柱１２以外の構造体１４の少なくとも一部とは、基礎金物３０を介して布基礎１０に固定される。
【００２６】
ここで、基礎金物３０は、鉄等の鋼製部材で形成され、載置部３２と、アンカー部３４と、固定部３６とを有する。
【００２７】
載置部３２は、布基礎１０において柱１２及び他の構造体１４が載置される部分であり、矩形の平板状をなす。その大きさは任意に設定し得るが、固定部３６形成との関係上、柱１２の底面と同程度の大きさであることが好ましい。
【００２８】
なお、他の構造体１４には、壁部１６及び床部２０が含まれる。
アンカー部３４は、布基礎１０に埋設されて載置部３２を布基礎１０に固定する部分であり、所定長さの棒状をなし、一方の端部が直角に屈曲し、他方の端部が載置部３２の下面に接続される。この接続は、工場において予め行われる。また、アンカー部３４は、一方の端部を屈曲させることなく、まっすぐの状態で載置部３２に取り付けても良い。
【００２９】
なお、アンカー部３４の長さは、少なくとも布基礎１０への定着に必要な長さとされ、本実施形態では６００ｍｍに設定される。
固定部３６は、載置部３２上に載置された柱１２及び他の構造体１４に固定され、載置部３２等を介してこれらと布基礎１０とを連結する部分であり、Ｌ字状の横断面を有する板状をなして、布基礎１０の側面１０ａに沿って載置部３２の隣接する２辺から立ち上がるように形成される。そのため、この固定部３６の大きさは、連結すべき部材の寸法や配置を考慮して決定される。本実施形態においては、少なくとも床部２０の厚みより高く、かつ、柱１２の側面に確実に固着可能な高さと、柱１２の２側面の幅に等しい幅に形成される。
【００３０】
この固定部３６には、釘等の固着手段３９を挿入するための固着穴３８が複数設けられる。これらの固着穴３８は、固定部３６が接触する柱１２及び柱１２以外の構造体１４に固着手段３９を打ち込むことができる位置に設けられる。さらに、柱１２や構造体１４が木質である場合における柱１２等の繊維破壊を防止するため、固着穴３８は千鳥状に配置される。
【００３１】
次に、このような構成の基礎金物３０を用いた固定構造について、同図を参照しつつ説明する。
【００３２】
まず、布基礎１０を形成する際に、柱１２の立設位置である布基礎１０の角部に基礎金物３０を設置する。このとき、固定部３６は、布基礎１０の角部の外周面に沿って立ち上がるような位置に配置される。そして、アンカー部３４が布基礎１０中に完全に埋設される。このとき、アンカー部３４の屈曲した端部が布基礎１０の側面から突出したり、布基礎１０中の鉄筋と交差したりしないようにする。また、載置部３２は、布基礎１０の上面との間に隙間ができないように設置される。この点、本実施形態においては、載置部３２の上面が布基礎１０の上面と面一になるように載置部３２を布基礎１０に埋め込んでいるが、単に布基礎１０の上面に載置されるようにすることもできる。
【００３３】
基礎金物３０の設置後、布基礎１０が完全に乾いてから、床部２０を形成する。床部２０の形成に際しては、基礎金物３０の載置部３２の上まで半土台２２と床パネル２４を敷き込む。次に、載置部３２の上方において、柱１２を床部２０の上に立設する。そして、固着穴３８から固着手段３９を床部２０及び柱１２に打ち込んで、固定部３６を床部２０等に固定する。さらに、柱１２に隣接させて壁部１６を構築し、柱１２に接続する。
【００３４】
なお、柱１２から離れた位置では、床部２０及び壁部１６は、図示しないアンカーボルトによって基礎に連結・固定されるものとする。
【００３５】
本実施形態はこのように構成されており、これにより、次のような作用・効果が生ずる。
【００３６】
第一に、柱１２と床部２０と壁パネル１８からなる壁部１６とが連結されることから、壁パネル１８と床部２０との固定部が柱１２によって補強される。このため、建物の強度が向上する。特に、横振動に対する対抗力が高められる。
【００３７】
第二に、柱１２と床部２０と布基礎１０とが１つの基礎金物３０によって連結されることから、作業性が向上する。このため、建築現場における施工作業が簡単となる。
【００３８】
ここで、固定部３６がＬ字状の横断面をなすことから、柱１２及び床部２０の側面に固定部３６をフィットさせることができる。このため、柱１２等がぐらつかない確実な固定を行うことができる。また、アンカー部３４の一方の端部が直角に屈曲することから、型枠にコンクリートを流し込んで布基礎１０を形成する際、アンカー部３４の埋設位置を確認しやすい。さらに、布基礎１０が低い場合でも、アンカー部３４の定着に必要な埋め込み長さを確保することができる。
【００３９】
第三に、固定部３６が建物の外壁面側に配置されることから、固定部３６の存在に起因する建物の内部結露の発生を簡単に防止することができる。このため、建物の耐用年数の延長が可能となる。なお、諸処の事情により内部結露を考慮しなくて良い場合には、固定部３６を建物の内部方向に配置しても良い。
【００４０】
次に、図２は、本発明にかかる基礎金物を用いた固定構造の第二の実施形態を示す一部分解斜視図である。
【００４１】
同図において、布基礎４０の直線部分の上面に基礎金物６０と、台輪４１及び床部５０が配設され、床部５０の上に柱４２及び壁部４４が立設されて、基礎金物６０で固定される。
【００４２】
ここで、基礎金物６０は、固定部６６が平板状をなして布基礎４０の側面に沿って載置部６２の一辺から立ち上がるように形成される。また、この固定部６６は、柱４２及び壁部４６の双方に固着可能なように、柱４２の一側面の幅よりも幅広く形成される。その他の点については、上述した基礎金物３０と同様であるので、詳しい説明を省略する。
【００４３】
このような構成の基礎金物６０は、固定部６６が柱４２及び壁部４６の外側面に沿うような向きで載置部６２が布基礎４０の上面に載置され、アンカー部６４が布基礎４０に埋め込まれる。
【００４４】
また、台輪４１は、載置部６２と布基礎４０の上面との段差がなくなるように載置部６２の周囲に設置される。そして、床部５０は半土台５２と床パネル５４からなり、固定部６６の周囲を埋め尽くすように敷設される。さらに壁部４６は壁パネル４８からなり、柱４２の両側に立設されて柱４２及び床部５０の双方に連結される。
【００４５】
そして、固着穴６８から打ち込まれる固着手段６９により、固定部６６が柱４２及び隣接する壁部４６に固定される。
【００４６】
その他については上述した第一の実施形態と同様であるので、説明を省略する。
【００４７】
本実施形態は、このように構成されている。これにより、壁パネル４８と床部５０との固定部が柱４２で補強され、建物の強度が向上する。また、固定部６６が平板状をなすことから、直線部分における施工作業が容易となる。
【００４８】
図３は、本発明にかかる基礎金物を用いた固定構造の第三の実施形態を示す一部分解斜視図である。
【００４９】
同図において、布基礎７０の角部上面に基礎金物９０が設置され、この基礎金物９０の載置部９２の上に柱７２が立設され、載置部９２に隣接させて台輪８８が配設され、その上から柱７２の周囲に半土台８２及び床パネル８４が敷き込まれて、床部８０が形成される。
【００５０】
ここで、基礎金物９０は、上述した基礎金物１０と同様の構成を有し、アンカー部９４が布基礎７０に埋設されて設置される。そして、床部８０の上において、壁パネル７８からなる２つの壁部７６が柱７２を挟んで直角に立設され、柱７２に緊結される。さらに、基礎金物９０の固定部９６は、固着穴９８から打ち込まれる固着手段９９によって、柱７２の側面と、床部８０の端面と、壁部７６の外周面に固定される。その他の点については、上述した第一の実施形態と同様であるので、説明を省略する。
【００５１】
本実施形態はこのように構成されている。これにより、壁部７６と床部７４の接続が柱７２によって補強され、建物の強度が向上する。
【００５２】
また、１つの基礎金物９０により、柱７２と床部８０と壁部７６の全部が連結されることから、建築現場における作業が簡単となり、作業性が向上する。
【００５３】
【発明の効果】
以上説明したように、請求項１記載の発明によれば、基礎金物の基礎に埋設されるアンカー部と、柱及び柱以外の他の構造体に固定される固定部とが、載置部を介して一体をなすことから、一つの基礎金物で柱を他の構造体とともに基礎に固定することができ、施工現場における固定作業の簡単・迅速に行うことが可能となる。
【００５４】
【００５５】
【００５６】
また、壁部及び床部に柱が連結されることから、建物の強度を向上させることができ、また、柱及び壁部が床部の上に立設され、少なくとも柱と床部がともに基礎金物によって基礎に固定されことから、床部及び柱の固定作業が簡単となる。
【００５７】
さらに、柱が基礎の角部に立設され、基礎金物の固定部がＬ字状の横断面をなして基礎の角部の外周面に沿って立ち上がり、床部の端面と柱の側面と壁部の外壁面とに固定されることから、金属製の固定部に起因する建物の内部結露の発生を防止することができる。
【００５８】
請求項２記載の発明によれば、壁部が壁パネルから構成され、床部が床パネル及び半土台から構成されることから、壁部及び床部を簡単に形成することができる。また、固定部が、柱、壁パネル、床パネル及び半土台の全てに固定されることから、これら全てを基礎に確実に固定することができる。
【図面の簡単な説明】
【図１】  本発明にかかる基礎金物を用いた固定構造の第一の実施形態を示す一部分解斜視図である。
【図２】  本発明にかかる基礎金物を用いた固定構造の第二の実施形態を示す一部分解斜視図である。
【図３】  本発明にかかる基礎金物を用いた固定構造の第三の実施形態を示す一部分解斜視図である。
【符号の説明】
１０，４０，７０  布基礎（基礎）
１２，４２，７２  柱
１４，４４，７４  柱以外の構造体
１６，４６，７６  壁部
１８，４８，７８  壁パネル
２０，５０，８０  床部
２２，５２，８２  半土台
２４，５４，８４  床パネル
３０，６０，９０  基礎金物
３２，６２，９２  載置部
３４，６４，９４  アンカー部
３６，６６，９６  固定部
【図１】
0003792008.tif 000002
【図２】
0003792008.tif 000003
【図３】
0003792008.tif 000004